(57)【要約】【課題】  紛失防止機能を有していても、素手による手作業に支障を生じさせることのない手袋を提供する。【解決手段】  手袋本体１０内面の手の平５１の窪み部５１ａ中の上下位置に対向する位置に、両端部が手袋本体１０に固定され、手袋本体１０を手５０から外す場合に、手の指５５，５６を引っ掛けて、手袋本体１０を手の甲５２側に保持させる、伸縮自在な指掛け部２０を設けている。手袋本体１０を手の甲５２側に加圧保持できるので、素手による作業に支障をきたすことがなく、かつ、手の甲側の防寒をも図ることができる。また、手の甲５２側から、手袋本体１０への手５０の差し込みも容易・迅速にできるので、冬場の屋外作業者等も着脱を苦にすることなく使用できる。【選択図】      図８
2006207071.tif 000002
【特許請求の範囲】
【請求項１】
手袋本体内面の、手の平の窪み部中の上下位置に対向する位置に、両端部が前記手袋本体に固定され、前記手袋本体を前記手から一時的に外す場合に、前記手の指を引っ掛けて、前記手袋本体を前記手の甲側に保持させる、伸縮自在な指掛け部を設けていることを特徴とする手袋。
【請求項２】
前記指掛け部は、伸縮性を有する細長いゴム状弾性体を袋状のひだ付きカバーで覆ったものであることを特徴とする請求項１記載の手袋。
【発明の詳細な説明】
【技術分野】
【０００１】
本発明は、紛失防止機能を備えた手袋に関するものである。
【背景技術】
【０００２】
例えば、冬場、屋外で作業をしたり、手に物を持って外出する場合には、手袋は欠かせない。ところが、屋外作業の内容（手の指や手の平の感触を必要とする作業）によっては、手袋を外して素手で作業をする必要も生じる。また、外出時、細かい作業（例えば、携帯電話を使用したり、財布からお金を取り出す場合等）をする場合には、手袋を外す必要が生じる。これらの場合、外した手袋は紛失しやすいので、紛失防止機能を備えた種々の手袋が提案されている。
【０００３】
このような手袋の代表的なものとして、例えば、特許文献１に記載されたものがある。この手袋１００は、図１２で示されるように、手袋本体１０１の手の差し込み部１０１ａ側内面に、保持リング１０２を取り付けたものである。この手袋１００を手に着ける場合には、手を保持リング１０２内と手袋本体１０１内に差し込むようにし、保持リング１０２を介して手首で手袋本体１０１を保持するようにする。そして、この手袋１００を一時的に外す必要がある場合には、手袋本体１０１のみを手から外し、保持リング１０２は手首側に着けた状態にしておく。この手袋１００では、手を手袋本体１０１から外して、作業をした場合でも、この手袋本体１０１は、保持リング１０２を介して手首側に保持されているので、手袋１００（手袋本体１０１）を紛失してしまうことはない。
【０００４】
【特許文献１】特開２００４−１６９２５０号公報
【発明の開示】
【発明が解決しようとする課題】
【０００５】
しかしながら、上記従来の手袋１００では、手袋本体１０１を手から外した場合、これが保持リング１０２を介して手首周りにぶら下がった状態になるため、手作業時に、手袋本体１０１がぶらぶら動いてしまい、作業がやりにくかったり、これが他の物に引っかかって作業に支障をきたすという問題があった。
【０００６】
この発明は、以上の点に鑑み、紛失防止機能を有していても、手作業に支障を生じさせることのない手袋を提供することを目的とする。
【課題を解決するための手段】
【０００７】
この発明の請求項１記載の発明は、手袋本体内面の、手の平の窪み部中の上下位置に対向する位置に、両端部が前記手袋本体に固定され、前記手袋本体を前記手から一時的に外す場合に、前記手の指を引っ掛けて、前記手袋本体を前記手の甲側に保持させる、伸縮自在な指掛け部を設けていることを特徴とする。
【０００８】
この発明では、手に着けた手袋本体を一時的に外す場合には、他方の手で手袋本体の指先部側を引っ張って、手の指を手袋本体の指部分から抜いた後、例えば、人差し指と中指の指先側を手袋本体の内面側に折り曲げつつ、この内面に沿って摺動させて、手を手袋本体から抜いていく。そして、この人差し指と中指の指先が指掛け部に少しでも触れた段階で、これらの指の指先側を、手の平側に約１８０度曲げるようにして、指掛け部に引っ掛け、この指掛け部を引き伸ばしつつ、人差し指と中指とを手袋本体の内面と指掛け部で形成される孔部に差し込んでいく。そして、指掛け部を２つの指の根本まで移動させるように、手を手袋本体から抜いていくと、手袋本体は、指掛け部を介して加圧された状態で、手の差し込み部側が手の甲側に保持される。
【０００９】
この場合、手袋本体は、その内面の指掛け部側が手の甲側（指の甲側も含む）に接する状態になるので、手の差し込み部側が折り重なった団子状態になって、手の甲側に加圧・保持され、手元でぶらぶら動いてしまうことはない。また、手袋本体が手の甲側に保持されている状態では、手の平側は素手の状態になるので、手の指先や手の平を使った細かい作業が自由にできるようになるとともに、手の甲側は、手袋本体で覆われた状態となるので、寒さによる手の甲側の冷えを防止することもできる。
【００１０】
つぎに、手の甲側に一時的に保持されている手袋本体に再び手を差し込む場合は、他方の手で、手の差し込み部側を手前に引くようにして、手の指を手袋本体内に差し込み、指先を伸ばしつつ、人差し指と中指を指掛け部から抜いていけば、手の指が手袋本体の指部に差し込まれ、手を手袋本体に充分に差し込むことができる。すなわち、本発明では、手から完全に取り外した手袋を、手に着ける場合に比べて、手袋本体を迅速に手に着けることができる。
【００１１】
なお、取り外した手袋（手袋本体を含む手袋）を手に着ける場合は、通常通り、手の差し込み部側から手袋本体内に手を差し込んでいけばよく、手に着けた手袋を手から取り外す場合は、通常通り、手袋本体の指先部を引っ張って、手袋本体から手を抜いていけばよい。
【００１２】
この発明の請求項２記載の発明は、請求項１記載の発明の場合に、前記指掛け部は、伸縮性を有する細長いゴム状弾性体を袋状のひだ付きカバーで覆ったものであることを特徴とする。
【発明の効果】
【００１３】
この発明の請求項１記載の発明によれば、手袋本体を外して手先や手の平を使った細かい作業をする場合でも、手袋本体は手の甲側に保持されるので、例えば、外出先で手袋を置き忘れたり落として、紛失してしまうことはない。この場合、手の甲側に保持された手袋本体は、手の差し込み部側が折り重なった団子状態になって、手の甲側に加圧状態で保持されるので、手元でぶらぶら動いてしまうことはない。したがって、この発明では、手作業に支障をきたすことはないとともに、手の甲側の防寒をも図ることができる。
【００１４】
また、この発明では、手袋本体を手の甲側に保持させることにより、脱いだ手袋を所定の場所に置く必要がないとともに、手の甲側に保持された手袋本体に手を差し込むのも容易かつ迅速にできる。したがって、この発明では、例えば、素手による細かい作業の多い、冬場の屋外作業者や屋内外の仕切のない冬場の店舗作業者が手袋をして作業をしても、これらの者にとって、手袋の着脱が苦にならず、これらの者に対する手の防寒を充分に果たすことができる。
【００１５】
この発明の請求項２記載の発明によれば、指掛け部のゴム状弾性体がひだ付きカバーで覆われているので、手袋本体を手の甲側に保持させた場合に、指掛け部が見える、手の平側の外観を良くすることができる。また、この発明では、ひだ付きカバーによりゴム状弾性体の擦れ等が防止され、指掛け部の寿命を延ばすことができる。
【発明を実施するための最良の形態】
【００１６】
以下、この発明の実施の形態を図面を参照しつつ説明する。
実施形態１．
図１はこの発明の一実施の形態に係る外出用手袋の正面外観を示しており、図２はこの外出用手袋の背面外観を示している。
【００１７】
外出用手袋１は、右手（以下、手という）５０（図３参照）を差し込んで寒さを防ぐ防寒用のものであり、図１及び図２で示されるように、通常の防寒用手袋である手袋本体１０の内面に、指掛け部２０を設けたものである。なお、この実施形態では、右手５０用の外出用手袋１について説明するが、左手用のものも同様である。
【００１８】
手袋本体１０は、例えばフリース地を２枚重ねた厚手の布地から形成されており、手５０の差し込み部１１の端部１１ａが、薄いナイロン地により縁取られている。この手袋本体１０には、差し込み部１１の端部に、細いゴム糸によって絞り込むようにゴムシャーリングされた絞り部Ｈが形成されている。また、この手袋本体１０には、手の平５１に対向する手の平部１２表面の４本指部１３（人差し指部１３ａ、中指部１３ｂ、薬指部１３ｃ、小指部１３ｄ）直下に、補強用の樹脂シートＳが、貼り付け及び縫い付けによって取り付けられている。なお、図１中、符号１４は親指部であり、符号１５は、手の平部１２に対向する、背面側の手の甲部である。
【００１９】
指掛け部２０は、手袋本体１０を手５０から一時的に外す場合に、手５０の指５３，５４，５５，５６，５７のうち、この実施形態の場合、例えば、中指５５と薬指５６とを引っ掛けて、手袋本体１０を手の甲５２（図７参照）側に加圧保持させるものである。この指掛け部２０は、手袋本体１０の手の平部１２内面の、手の平５１の窪み部５１ａ中の上下位置、すなわち、窪み部５１ａ中の、４本指５４，５５，５６，５７側と手首Ｋ側間の上下位置に対向する位置に取り付けられる。この場合、手袋本体１０が厚手の素材によって形成されているので、指掛け部２０は、図３で示されるように、中指５５と薬指５６の下方の位置で、手の平５１の窪み部５１ａの上下方向中間部又は上下方向中間部よりやや手首Ｋ寄りの上下位置に対向する、手袋本体１０の手の平部１２内面に取り付けられる。ここで、手の平５１の窪み部５１ａとは、手の平５１上で、最も隆起している部分（図３中鎖線で示される部分）の内側をいうものとする。
【００２０】
指掛け部２０は、細長いゴム状弾性体（この実施形態では幅１０ｍｍ程度の平ゴム）から形成され、図２で示されるように、手袋本体１０の手の平部１２内面にほぼぴったり沿わせた状態で、両端Ｙ１，Ｙ２と中間部Ｙ３が全幅にわたって手袋本体１０側に略水平に縫い付け固定されている。この指掛け部２０は、長さが中指５５と薬指５６の左右の指幅の１．５倍程度となっており、左部２０ａに中指５５、右部２０ｂに薬指５６が引っ掛けられて伸び、指掛け部２０と手の平部１２の内面とで形成される２つの孔部に、中指５５と薬指５６とが、それぞれ根本まで差し込まれる。
【００２１】
ここで、手袋本体１０に対する、指掛け部２０の一般的な取り付け位置について説明する。指掛け部２０の取付位置は、手袋本体１０を形成する素材の厚さや、剛性の大きさ（例えば、硬さやごわごわ感）、差し込み部１１側の長さによって、すなわち、手の甲５２に対する差し込み部１１側の加圧の程度によって変えられるべきである。手袋本体１０が薄くて柔らかい素材で形成されている場合には、手の甲５２側への手袋本体１０の加圧力が大きくなるよう、指掛け部２０は、手の平５１の窪み部５１ａ中の、４本指５４，５５，５６，５７に寄った上下位置に対向する、手の平部１２の内面に取り付けられるべきである。また、手袋本体１０が厚くて硬い素材で形成されている場合には、手の甲５２側への手袋本体１０の加圧力が緩和されるよう、指掛け部２０は、手の平５１の窪み部５１ａ中の手首Ｋに寄った上下位置に対向する、手の平部１２の内面に取り付けられるべきである。
【００２２】
なお、指掛け部２０が、手の平５１の窪み部５１ａに対向する、手の平部１２の内面に取り付けられておれば、ほぼどのような手袋本体２０であっても、これを手の甲５２側に、ぶらぶらさせることなくしっかりと保持させることができる。
【００２３】
つぎに、この外出用手袋１の作用効果について説明する。
まず、外出用手袋１を手５０に着ける（はめる）場合には、図６で示されるように、手袋本体１０に手５０を差し込んで、左手６０で差し込み部１１を手前に引いてやればよく、これを手５０から外す場合には、図４で示されるように、左手６０で、手袋本体１０の指部１３の一部を外方に引くように引っ張ればよい。この場合、指掛け部２０は、手袋本体１０の手の平部１２内面に沿うような状態で、両端Ｙ１，Ｙ２と中間部Ｙ３が全幅に亘って縫い付けられているので、手５０の着脱時に、これが手の指１３，１４に引っかかってしまうことはない。
【００２４】
つぎに、手袋本体１０を一時的に手５０から取り外す場合には、図４で示されるように、左手６０で、手袋本体１０の指部１３を外方に引っ張って、手の指５３・・（特に中指５５と人差し指５６）を手袋本体１０の指部１３，１４から抜いた後、この中指５５と薬指５６の指先側を手の平部１２側に折り曲げつつ、この指先を手の平部１２の内面に沿って摺動させ、手５０を手袋本体１０から抜いていく。そして、中指５５と薬指５６の指先が指掛け部２０に触れると、図５で示されるように、これらの指５５，５６の指先側を、手の平５１側に１８０度曲げるようにして指掛け部２０に引っかける。そして、指掛け部２０を引き伸ばしつつ、中指５５と薬指５６とを、手袋本体１０の内面と、指掛け部２０の左部２０ａ及び右部２０ｂとで形成される孔部に差し込んでいく。
【００２５】
つづいて、図６で示されるように、差し込み部１１を左手６０で手５０側に押して、指掛け部２０を２つの指５５，５６の根本まで移動させるようにしつつ、手５０を手袋本体１０から抜いていく。このことにより、手袋本体１０は、図７で示されるように、差し込み部１１側が加圧された状態で、手の甲５２側に保持され、手袋本体１０を手５０から離すことなく外すことができる。このため、例えば外出時に、手袋本体１０を手５０から外しても、外出用手袋１を紛失してしまうことはない。
【００２６】
この場合、手袋本体１０は、手の平部１２内面の指掛け部２０側が手の甲５２に接するようになるので、差し込み部１１側が折り重なった団子状態になって、手の甲５２側に加圧状態でしっかり保持され、手元でぶらぶら動いてしまうことはない。また、手袋本体１０が手の甲５２側に保持されている状態では、手の平５１側は、図８で示されるように、素手の状態になるので、手５０の指５３・・や手の平５１を使った細かい作業（例えば、電話をかけたり、切符を買ったり、お金を支払ったりする作業）が自由にできるようになる。また、手の甲５２側は、手袋本体１０で覆われた状態となるので、この手袋本体１０によって寒さによる手の甲５２側の冷えを防止できる。
【００２７】
つぎに、手の甲５２側に一時的に保持されている手袋本体１０に再び手５０を差し込む場合は、図６で示されるように、差し込み部１１を左手６０で手前に引くようにして、手の指５３・・を手袋本体１０内に差し込み、指先側を伸ばしつつ、中指５５と薬指５６とを指掛け部２０から抜いていく。このことにより、手の指５３・・が手袋本体１０の指部１３，１４に差し込まれ、手５０を手袋本体１０内に充分に差し込むことができる。すなわち、この外出用手袋１では、手５０から外して所定場所にしまわれている手袋を手５０に着ける場合に比べて、手の甲５２側に一時的に保持されている手袋本体１０を容易かつ迅速に手５０に差し込むことができる。
【００２８】
なお、指掛け部２０は、利き手、例えばこれが右手の場合には、右手側の手袋本体１０にのみ設けるようにしてもよい。
【００２９】
また、指掛け部２０には、人差し指５４と中指５５、薬指５６と小指５７、親指５３を除く隣り合った何れかの３本指、又は、４本指（人差し指５４、中指５５、薬指５６、小指５７）中の何れか１本の指を引っ掛けるようにしてもよい。
【００３０】
さらに、指掛け部２０の中間部Ｙ３を手袋本体１０側に縫い付けず、２つの指５５，５６を一体として、指掛け部２０と手袋本体１０内面との間の孔部に差し込むようにしてもよい。
【００３１】
また、手袋本体１０の材質は、布、皮、毛糸（毛）、樹脂シートや、これらの組み合わせであってもよい。
【００３２】
実施形態２．
つぎに、この発明の他の実施形態に係る作業用手袋１Ａついて、図９乃至図１１を参照しつつ説明する。なお、外出用手袋１と同じ機能を有する部分には、同一符号を付しその説明を省略する。
【００３３】
作業用手袋１Ａは、屋外作業者や店舗作業者等が、手の保護や冬場の防寒のためにするものであり、図９で示されるように、例えば、手袋本体１０Ａである軍手の内面に、指掛け部２０Ａを設けたものである。この実施形態についても、右手用の作業用手袋１Ａについて説明するが、左手用のものも同様である。
【００３４】
手袋本体１０Ａは、全体が太い糸で編むように比較的薄手で柔らかく形成されている。また、手の平部１２や手の甲部１５より小幅に形成された、手５０の差し込み部１１Ａは、ゴム糸を使ったゴムシャーリングによって径方向に伸縮自在に形成されている。
【００３５】
指掛け部２０Ａは、指掛け部２０と同様に、手袋本体１０Ａを手５０から一時的に外す場合に、中指５５と薬指５６とを引っ掛けて、手袋本体１０Ａを手の甲５２側に加圧保持させるものである。この指掛け部２０Ａは、手袋本体１０Ａが比較的薄手で柔らかい素材によって形成されているので、図３で示されるように、中指５５と薬指５６との下方の位置で、手の平５１の窪み部５１ａの上下方向中間部より４本指５４，５５，５６，５７寄りの位置に対向する、手袋本体１０Ａの手の平部１２内面に取り付けられる。
【００３６】
指掛け部２０Ａは、図９で示されるように、指掛け部２０を形成する平ゴムＨをひだ（ギャザー）付きカバーである布袋Ｆで覆ったものであり、指掛け部２０と同様に、手の平部１２内面にほぼぴったり沿わせた状態で、両端Ｙ１，Ｙ２と中間部Ｙ３が全幅に亘って手袋本体１０Ａに縫い付け固定されている。布袋Ｆには、指掛け部２０Ａに指５５，５６が差し込まれた場合に、平ゴムＨが充分に伸びることができるだけのひだが着けられている。
【００３７】
この作業用手袋１Ａでも、図１０で示されるように、指掛け部２０Ａに中指５５と薬指５６とを引っ掛けて、手袋本体１０Ａを手の甲５２側に保持させることができるので、外出用手袋１と同様に、手袋本体１０Ａを手５０から完全に外さなくても、素手の状態で、手５０の指５３・・や手の平５１を使った細かい作業ができるとともに、手袋本体１０Ａによって寒さによる手の甲５２側の冷えや、手袋の紛失も防止できる。
【００３８】
また、この作業用手袋１Ａでは、指掛け部２０Ａが手の平部１２の４本指部１３に寄った位置に取り付けられているので、手袋本体１０Ａを手の甲５２側に保持した場合、手の平部１２の裏面側の４本指１３に寄った部分が手の甲５２側に接するようになる。したがって、手袋本体１０Ａが比較的薄手で柔らかい素材から形成されていても、手袋本体１０Ａは、指掛け部２０Ａを介して、差し込み部１１や、手の平部１２及び手の甲部１５の大部分のものが手の甲５２側に加圧された状態となり、手袋本体１０Ａが手５０の周りでぶらぶら動いてしまうことはない。
【００３９】
さらに、この作業用手袋１Ａでは、手袋本体１０Ａを手の甲５２側に、容易かつ迅速に保持させることができ、かつ、所定の場所にしまわれた手袋を取って手５０に着ける場合に比べて、迅速に、手の甲５２側にある手袋本体１０Ａを手５０に着けることができる。このため、例えば、素手による細かい作業の多い、冬場の屋外作業者（例えば、植木業者や建設業者）や、屋内外の仕切のない冬場の店舗作業者（例えば、花屋、八百屋の作業者）は、手袋本体１０Ａの着脱が苦にならないので、常時作業用手袋１Ａをして作業をすることとなる。したがって、この作業用手袋１Ａは、これらの者に対する手５０の防寒を充分に果たすことができる。
【００４０】
また、この作業用手袋１Ａでは、指掛け部２０Ａの平ゴムＨが布袋Ｆで覆われているので、手袋本体１０Ａを手の甲５２側に保持させた場合に、図１１で示されるように、指掛け部２０Ａが見える、手の平５１側の外観を布袋Ｆにより、良くすることができる。さらに、この作業用手袋１Ａでは、布袋Ｆにより平ゴムＨの擦れ等が防止され、指掛け部２０Ａの寿命を延ばすことができる。
【００４１】
なお、手袋本体１０Ａは、軍手であり、左右の区別がないので、例えば、手の甲部１４側に色を付けるなど、何らかの手段により左右の区別を付けておく必要がある。
【００４２】
また、指掛け部２０Ａの布袋Ｆは、材質を、手袋本体１０Ａの材質と同じもの（例えば、皮手袋であれば皮、毛糸の手袋であれば毛糸）としたり、色や模様を、手袋本体１０Ａと同じものにして、見た目を良くするようにしてもよい。
【図面の簡単な説明】
【００４３】
【図１】この発明の第１の実施形態に係る外出用手袋の正面図である。
【図２】外出用手袋の、一部断面をした背面図である。
【図３】右手の手の平側を示す図である。
【図４】外出用手袋の手袋本体を手から外し始めた状態を示す図である。
【図５】図４の手袋本体中の手の状態を示す図である。
【図６】指を指掛け部に引っ掛けた状態で、手を外出用手袋の手袋本体から出そうとしている状態を示す図である。
【図７】外出用手袋の手袋本体を手の甲側に保持している状態を示す図である。
【図８】外出用手袋の手袋本体を手の甲側に保持している場合の、手の平側の状態を示す図である。
【図９】この発明の第２の実施形態に係る作業用手袋の正面図である。
【図１０】作業用手袋の手袋本体を手の甲側に保持している状態を示す図である。
【図１１】作業用手袋の手袋本体を手の甲側に保持している場合の、手の平側の状態を示す図である
【図１２】従来の手袋を示す図である。
【符号の説明】
【００４４】
１    外出用手袋
１Ａ  作業用手袋
１０，１０Ａ  手袋本体
２０，２０Ａ  指掛け部
５０  手
５１  手の平
５１ａ  窪み部
５２  手の甲
５４，５５，５６，５７  手の指
Ｈ  平ゴム（ゴム状弾性体）
Ｆ  布袋（カバー）
【図１】
2006207071.tif 000003
【図２】
2006207071.tif 000004
【図３】
2006207071.tif 000005
【図４】
2006207071.tif 000006
【図５】
2006207071.tif 000007
【図６】
2006207071.tif 000008
【図７】
2006207071.tif 000009
【図８】
2006207071.tif 000010
【図９】
2006207071.tif 000011
【図１０】
2006207071.tif 000012
【図１１】
2006207071.tif 000013
【図１２】
2006207071.tif 000014